(57)【要約】【課題】入賞に対する期待感を従来より高めることが可能な遊技機の提供を目的とする。【解決手段】本発明のパチンコ遊技機１０によれば、表示装置１０１の左側方を流下した遊技球のうち、風車１１０で十分に減勢されず、水平方向右側に比較的大きく弾かれた遊技球は、振り子体１３０に当接する。そして、振り子体１３０が回動することで、振り子体１３０に当接した遊技球の水平方向の速度成分が低減されてから球誘導壁１２０上に落下する。このように、減勢した遊技球を、水平方向に延びかつ第１の始動入賞口１４Ａに向かって緩やかに傾斜した球誘導壁１２０を通して第１の始動入賞口１４Ａ側に流下させるので、遊技球を過度に加速させることなく安定して第１の始動入賞口１４Ａに案内することができる。これにより、表示装置１０１の側方を流下した遊技球が第１の始動入賞口１４Ａに入賞することへの期待を高めることができる。【選択図】図１１
2007090004.tif 000002
【特許請求の範囲】
【請求項１】
遊技を行う遊技領域を備えた遊技板と、
前記遊技領域に設けられ、遊技の当否を表示する表示装置と、
前記表示装置の下方に配置された入賞口とを備えた遊技機において、
略水平方向に延びかつ前記入賞口に向かって緩やかに傾斜し、前記表示装置の側方を流下した遊技球を、前記入賞口側に向けて案内する誘導部材と、
前記遊技領域のうち前記誘導部材の上方に設けられて、前記遊技板に回転可能に軸支され、流下する遊技球が当接して回転し、その遊技球を前記誘導部材に向けて斜め下方に案内可能な可動体と、
水平方向で前記可動体に対峙しかつ前記遊技板に回動可能に軸支され、前記可動体に当接して水平方向に比較的大きく弾かれた遊技球と当接して回動し、その遊技球の水平方向の速度成分を低減させて前記誘導部材上に落下させる球減速部材とを備えたことを特徴とする遊技機。
【請求項２】
前記可動体は、回動中心から放射状に張り出した複数の突片と、前記複数の突片の前面側を覆った円板とからなることを特徴とする請求項１に記載の遊技機。
【請求項３】
前記可動体は、前記誘導部材の上流側の上方に配置され、前記球減速部材は、前記誘導部材の下流側の上方に配置されたことを特徴とする請求項１又は２に記載の遊技機。
【請求項４】
前記球減速部材は、前記可動体側に遊技球と当接可能な当接平坦面を有し、
前記球減速部材に当接して、前記球減速部材の回動可能範囲を一定の角度に規制する回動規制部材を設けたことを特徴とする請求項１乃至３に記載の遊技機。
【請求項５】
前記球減速部材と前記可動体との間の最も狭い部分の間隔を、遊技球の直径以上かつ前記直径の２倍未満にしたことを特徴とする請求項４に記載の遊技機。
【請求項６】
前記球減速部材と前記誘導部材との間の最も狭い部分の間隔を、遊技球の直径以上かつ前記直径の２倍未満にしたことを特徴とする請求項１乃至５の何れかに記載の遊技機。
【請求項７】
前記球減速部材は、その球減速部材に当接した前記遊技球の速度のうち水平方向の成分を当接前に比べて０〜１／２に低減させるように構成したことを特徴とする請求項１乃至６の何れかに記載の遊技機。
【請求項８】
前記誘導部材は、上面に遊技球を誘導可能な誘導路を有した樹脂で構成されると共に、前記誘導路の延長上に遊技球と当接可能な複数の釘が列をなして設けられたことを特徴とする請求項１乃至７の何れかに記載の遊技機。
【請求項９】
前記釘の列は、水平方向に対して２７〜３０度に傾斜し、前記誘導部材の水平方向に対する傾斜角度は、前記釘の列の水平方向に対する傾斜角度以下としたことを特徴とする請求項８に記載の遊技球。
【請求項１０】
前記表示装置は、前記遊技板の背面側に取り付けられて、前記遊技板に形成された開口部を介して前記遊技板の前方から視認可能とされ、
前記誘導部材は、前記開口部の下辺に配置されたことを特徴とする請求項１乃至９の何れかに記載の遊技機。
【請求項１１】
前記開口部の縁部から前記遊技板の前方に突出して、前記開口部の前方を遊技球が流下することを規制する囲壁を設けると共に、前記囲壁の下辺部の内面には、遊技球が転動可能なステージと、ステージの横方向における中央に設けられ、前記入賞口の真上からその入賞口に向け遊技球を排出可能とする中央排出口とが備えられ、
前記誘導部材は、前記囲壁の下端角部に設けられて前記ステージより前方に配置され、
前記球減速部材に隣接した上部に開口し、遊技球を受け入れて前記ステージ上に案内するステージ案内筒が設けられたことを特徴とする請求項１０に記載の遊技機。
【請求項１２】
前記遊技領域は、レール部材で囲まれた略円形又は略楕円形をなし、
前記表示装置は、前記遊技領域の上下方向の１／２以上を占める矩形の表示画面を有し、
前記開口部は、前記表示画面の全体を視認可能とする大きさをなして前記遊技領域の上端寄りに配置され、
前記入賞口の直下には、横長矩形に形成された大入賞口が設けられたことを特徴とする請求項１０又は１１に記載の遊技機。
【請求項１３】
前記球減速部材の質量をＭ、
遊技球の質量をｍ、
遊技球と前記球減速部材との跳ね返り係数をｅとし、
ｍ／（１＋２ｅ）≦Ｍ≦ｍ／ｅ
、の関係式が成立するように、前記球減速部材の質量Ｍを設定したことを特徴とする請求項１乃至１２の何れかに記載の遊技機。
【発明の詳細な説明】
【技術分野】
【０００１】
本発明は、遊技球を用いて遊技を行う遊技機に関する。
【背景技術】
【０００２】
従来のこの種の遊技機、例えば、パチンコ遊技機では、表示装置の水平方向における中央部下方に入賞口が設けられていた（例えば、特許文献１参照）。そして、上記遊技機では、遊技球が入賞口に入賞すると、遊技者に特典が与えられていた。
【特許文献１】特開２００２−３４６０７８号公報（段落［００１３］、第１図）
【発明の開示】
【発明が解決しようとする課題】
【０００３】
しかしながら、表示装置の側方を流下した遊技球は、勢いを保ったままで入賞口に入賞することなく通過することが多かった。このため、表示装置の側方を流下した遊技球が入賞口側に向かっても、遊技者に入賞に対する期待感を与えることができなかった。
【０００４】
本発明は、上記事情を鑑みてなされたもので、入賞に対する期待感を従来より高めることが可能な遊技機の提供を目的とする。
【課題を解決するための手段】
【０００５】
上記目的を達成するためになされた請求項１の発明に係る遊技機は、遊技を行う遊技領域を備えた遊技板と、遊技領域に設けられ、遊技の当否を表示する表示装置と、表示装置の下方に配置された入賞口とを備えた遊技機において、略水平方向に延びかつ入賞口に向かって緩やかに傾斜し、表示装置の側方を流下した遊技球を、入賞口側に向けて案内する誘導部材と、遊技領域のうち誘導部材の上方に設けられて、遊技板に回転可能に軸支され、流下する遊技球が当接して回転し、その遊技球を誘導部材に向けて斜め下方に案内可能な可動体と、水平方向で可動体に対峙しかつ遊技板に回動可能に軸支され、可動体に当接して水平方向に比較的大きく弾かれた遊技球と当接して回動し、その遊技球の水平方向の速度成分を低減させて誘導部材上に落下させる球減速部材とを備えたところに特徴を有する。
【０００６】
請求項２の発明は、請求項１に記載の遊技機において、可動体は、回動中心から放射状に張り出した複数の突片と、複数の突片の前面側を覆った円板とからなるところに特徴を有する。
【０００７】
請求項３の発明は、請求項１又は２に記載の遊技機において、可動体は、誘導部材の上流側の上方に配置され、球減速部材は、誘導部材の下流側の上方に配置されたところに特徴を有する。
【０００８】
請求項４の発明は、請求項１乃至３に記載の遊技機において、球減速部材は、可動体側に遊技球と当接可能な当接平坦面を有し、球減速部材に当接して、球減速部材の回動可能範囲を一定の角度に規制する回動規制部材を設けたところに特徴を有する。
【０００９】
請求項５の発明は、請求項４に記載の遊技機において、球減速部材と可動体との間の最も狭い部分の間隔を、遊技球の直径以上かつ直径の２倍未満にしたところに特徴を有する。
【００１０】
請求項６の発明は、請求項１乃至５の何れかに記載の遊技機において、球減速部材と誘導部材との間の最も狭い部分の間隔を、遊技球の直径以上かつ直径の２倍未満にしたところに特徴を有する。
【００１１】
請求項７の発明は、請求項１乃至６の何れかに記載の遊技機において、球減速部材は、その球減速部材に当接した遊技球の速度のうち水平方向の成分を当接前に比べて０〜１／２に低減させるように構成したところに特徴を有する。
【００１２】
請求項８の発明は、請求項１乃至７の何れかに記載の遊技機において、誘導部材は、上面に遊技球を誘導可能な誘導路を有した樹脂で構成されると共に、誘導路の延長上に遊技球と当接可能な複数の釘が列をなして設けられたところに特徴を有する。
【００１３】
請求項９の発明は、請求項８に記載の遊技機において、釘の列は、水平方向に対して２７〜３０度に傾斜し、誘導部材の水平方向に対する傾斜角度は、釘の列の水平方向に対する傾斜角度以下としたところに特徴を有する。
【００１４】
請求項１０の発明は、請求項１乃至９の何れかに記載の遊技機において、表示装置は、遊技板の背面側に取り付けられて、遊技板に形成された開口部を介して遊技板の前方から視認可能とされ、誘導部材は、開口部の下辺に配置されたところに特徴を有する。
【００１５】
請求項１１の発明は、請求項１０に記載の遊技機において、開口部の縁部から遊技板の前方に突出して、開口部の前方を遊技球が流下することを規制する囲壁を設けると共に、囲壁の下辺部の内面には、遊技球が転動可能なステージと、ステージの横方向における中央に設けられ、入賞口の真上からその入賞口に向け遊技球を排出可能とする中央排出口とが備えられ、誘導部材は、囲壁の下端角部に設けられてステージより前方に配置され、球減速部材に隣接した上部に開口し、遊技球を受け入れてステージ上に案内するステージ案内筒が設けられたところに特徴を有する。
【００１６】
請求項１２の発明は、請求項１０又は１１に記載の遊技機において、遊技領域は、レール部材で囲まれた略円形又は略楕円形をなし、表示装置は、遊技領域の上下方向の１／２以上を占める矩形の表示画面を有し、開口部は、表示画面の全体を視認可能とする大きさをなして遊技領域の上端寄りに配置され、入賞口の直下には、横長矩形に形成された大入賞口が設けられたところに特徴を有する。
【００１７】
請求項１３の発明は、請求項１乃至１２の何れかに記載の遊技機において、球減速部材の質量をＭ、遊技球の質量をｍ、遊技球と球減速部材との跳ね返り係数をｅとし、ｍ／（１＋２ｅ）≦Ｍ≦ｍ／ｅ、の関係式が成立するように、球減速部材の質量Ｍを設定したところに特徴を有する。
【発明の効果】
【００１８】
［請求項１，７，１３の発明］
請求項１の構成によれば、表示装置の側方を流下した遊技球の一部は、可動体に当接して減勢され、誘導部材上に落下する。このとき、可動体で十分に減勢されず、水平方向に比較的大きく弾かれた遊技球は、球減速部材に当接する。球減速部材に当接した遊技球は、球減速部材の回動により水平方向の速度成分が低減されてから、誘導部材上に落下する。そして、このように減勢された遊技球を、水平方向に延びかつ入賞口に向かって緩やかに傾斜した誘導部材により入賞口側に向けて流下させるので、遊技球を安定して入賞口に案内することができる。これにより、表示装置の側方を流下した遊技球が入賞することに対する期待感を従来より高めることができる。特に、球減速部材を、その球減速部材に当接した遊技球の速度の水平方向成分を、当接前の０〜１／２（即ち、０〜５０％）に低減させるように構成するとより効果的である（請求項７の発明）。
【００１９】
具体的には、球減速部材の質量を、例えば、運動量保存則に基づいて算出すればよい。即ち、球減速部材の質量をＭ、遊技球の質量をｍ、遊技球の衝突前の水平方向の速度成分をＶＨ１、遊技球の衝突後の水平方向の速度成分をＶＨ２、球減速部材の質量をＭ、遊技球が衝突した後の球減速部材の角速度をω、回動軸から球減速部材の重心までの距離をＲ、遊技球と球減速部材との跳ね返り係数をｅとした場合、
ｍ・ＶＨ１＝ｍ・ＶＨ２＋Ｍ・Ｒ・ω      ・・・（１）
ＶＨ２−Ｒ・ω＝−ｅ（ＶＨ１−０）      ・・・（２）
上記関係式（１），（２）が成立する。また、これら関係式（１），（２）から、
ＶＨ２＝（ｍ−ｅ・Ｍ）・ＶＨ１／（ｍ＋Ｍ）      ・・・（３）
上記関係式（３）が成立する。
【００２０】
ところで、球減速部材に当接した遊技球の水平方向の速度成分ＶＨ２が、球減速部材に当接する前の遊技球の水平方向の速度成分ＶＨ１の０〜１／２に低減する場合、即ち、
０≦ＶＨ２≦（１／２）・ＶＨ１      ・・・（４）
上記関係式（４）が成立する場合、上記関係式（３），（４）から、
ｍ／（１＋２ｅ）≦Ｍ≦ｍ／ｅ      ・・・（５）
上記関係式（５）が成立し、球減速部材を、上記関係式（５）を満たす質量とすれば、その球減速部材に当接した遊技球の速度の水平方向成分を、当接前の０〜１／２（即ち、０〜５０％）に低減させることができる（請求項１３の発明）。
【００２１】
［請求項２の発明］
請求項２に構成によれば、可動部材を構成する複数の突片と円板とのうち隣り合った１対の突片と円板によって形成された凹部に遊技球を受け入れて遊技球の勢いを弱めてから、誘導部材に向けて斜め下方に案内することができる。なお、可動体は、円板を省いて、複数の突片のみで構成してもよい。
【００２２】
［請求項３の発明］
請求項３の構成によれば、誘導部材上に落下した遊技球を開口部側へスムーズに流下させることができる。
【００２３】
［請求項４の発明］
請求項４の構成によれば、球減速部材の回動角度が規制されているので、当接平坦面に当接した遊技球の落下方向が安定し、確実に球誘導部材上に落下させることができる。
【００２４】
［請求項５，６の発明］
請求項５の構成によれば、球減速部材と可動体との間での球詰まりを防止することができる。また、請求項６の構成によれば、誘導部材上を転がる遊技球と球減速部材との干渉が避けられ、球減速部材と誘導部材との間での球詰まりを防止することができる。
【００２５】
［請求項８の発明］
請求項８の構成によれば、遊技球は、樹脂で構成された誘導部材の誘導路を転がってから列をなして設けられた複数の釘に乗り移って、入賞口に向かって案内される。ここで、遊技領域に釘を打つことができない部位があった場合でも、この部位に誘導部材を配置すれば、遊技球を入賞口側に案内することができる。
［請求項９の発明］
請求項９の発明によれば、誘導部材及び複数の釘の上を転がる遊技球が過度に加速されることが防がれ、球減速部材及び／又は可動体により減勢された遊技球を安定して入賞口に案内することができる。なお、本発明における誘導部材及び／又は複数の釘の列の「水平方向に対する傾斜角度」には、誘導路の上面が水平軸となす角度のみならず、誘導路の起点と終点とを結ぶ直線及び／又は釘の列の起点と終点とを結ぶ直線が、水平軸となす角度が含まれる。また、誘導路の上面は、一定勾配の平面に限られず、勾配が異なる複数の平面で構成されていてもよいし、曲面で構成されていてもよい。
【００２６】
［請求項１０の発明］
請求項１０の構成によれば、遊技板に形成された開口部を介して表示装置を視認することができる。また、開口部の下辺に誘導部材を配置したので、誘導部材が開口部の前方を覆って表示装置の視認性が低下することが極力抑えられる。
【００２７】
［請求項１１の発明］
請求項１１の構成によれば、囲壁を設けて開口部の前方、即ち、表示装置の前方を遊技球が流下することを規制する一方で、囲壁の外側を流下する遊技球がステージ案内筒を通って囲壁の下辺部の内面に設けたステージ上に案内されると、ステージ上を転動した後に中央排出口から排出されて入賞口に入賞する可能性が高まる。これにより、表示装置の側方を流下する遊技球がステージに案内されること及び、中央排出口から排出されることに対して期待感を抱かせることができ、遊技の面白みを増すことができる。
【００２８】
［請求項１２の発明］
請求項１２の構成では、遊技領域の上下方向の１／２以上を占める矩形の表示画面の全体が視認可能となっているので、今までにない大きな表示画面で遊技を楽しむことができる。そして、表示画面の全体を視認可能とするための開口部を遊技領域の上端寄りに配置したので、開口部の下辺と遊技領域の下端部との間に入賞口及び大入賞口を縦並びに配置することができる。
【発明を実施するための最良の形態】
【００２９】
以下、本発明を適用したパチンコ遊技機１０に係る一実施形態を、図１〜図１３に基づいて説明する。本実施形態のパチンコ遊技機１０は、図３に示すように、枠体８０に遊技機本体８１を着脱可能に備えてなる。枠体８０のうち、外枠８２は、４つの木製の長板８３を縦長矩形状に接合して構成されている。枠体８０のうち、前面枠９０は、例えば合成樹脂で構成され、ヒンジにより外枠８２に対して開閉可能となっている。
【００３０】
図１に示すように、前面枠９０の前面には、ガラス枠９５が重ねて設けられている。このガラス枠９５には、略円形の窓９５Ｗが設けられ、ここにガラス板が嵌め込まれている。ガラス枠９５の前面の所定部位には、装飾ランプ９６、スピーカ５９Ｓ、上皿２７Ａが設けられ、上皿２７Ａの下方には、下皿２７Ｂが取り付けられている。下皿２７Ｂの右側方には、操作ノブ２８が備えられ、この操作ノブ２８を操作することで、上皿２７Ａに収容された遊技球が発射装置７０（図２を参照）によって遊技板１１に形成された遊技領域Ｒ１に向けて弾き出されるようになっている。
【００３１】
図３に示すように、前面枠９０の背面には、遊技窓９０Ｗを囲むように遊技板囲壁９３が起立している。この遊技板囲壁９３の内部に、後述する遊技板１１が固定されている。以上が枠体８０に関する説明である。
【００３２】
遊技機本体８１は、遊技板１１に種々の部品を組み付けてなる遊技盤側アッシと、機構板７５に種々の部品を組み付けてなる機構板側アッシの２つのアッシよりなる。
【００３３】
機構板７５は、合成樹脂で構成され、全体として遊技板１１より縦方向に長い矩形状をなす。機構板７５は、遊技板１１の背面側に重ねて取り付けられている。機構板７５の中央部には、図２に示すように、略矩形の着脱操作窓７７が形成されている。この着脱操作窓７７から、遊技板１１の背面に取り付けられた表示装置１０１及びメイン制御装置５２が、パチンコ遊技機１０の後側に露出している。
【００３４】
図３に示す遊技板１１は、木製の概矩形板材（例えば、縦４８０ｍｍ×横４５０ｍｍ）で構成されている。また、図１に示すように、遊技板１１の前面には、ガイドレール１２（本発明の「レール部材」に相当する）が取り付けられている。ガイドレール１２で囲まれた略楕円形（例えば、長軸４４５ｍｍ×短軸４３０ｍｍ）の領域が、遊技を行う遊技領域Ｒ１となっている。遊技領域Ｒ１の上側部分には、図柄を表示する表示装置１０１が配置されている。この表示装置１０１は、図６に示すように水平方向の中心が、遊技領域Ｒ１の水平方向の中心よりも右側に配されるようにして、図７に示すように遊技板１１の背面に取り付けられている。
【００３５】
本実施形態の表示装置１０１は、従来よりも大型の液晶画面１０２（本発明の「表示画面」に相当する）を有しており、この液晶画面１０２が、遊技領域Ｒ１の上下方向の１／２以上（詳細には、約５１％（＝２２８ｍｍ／４４５ｍｍ×１００））を占めかつ、遊技領域Ｒ１の面積の約半分を占めている。液晶画面１０２は、例えば、１５インチ（縦２２８ｍｍ×横３０４ｍｍ）であり、図６に示すように、表示装置１０１は、液晶画面１０２が遊技領域Ｒ１のできるだけ右上側となるように配置されている。具体的には、液晶画面１０２の右上の角部がガイドレール１２に近接して配置されている。これにより、遊技領域Ｒ１のうち表示装置１０１（表示画面１０２）より下側及び左側に遊技球が流下可能なスペースが形成され、このスペースに表示装置１０１以外の各種役物が分散配置されている。
【００３６】
具体的には、表示装置１０１の下側のスペースには、図１に示すように、第１及び第２の始動入賞口１４Ａ，１４Ｂ、大入賞口１５及びアウト口１６が、上から順に間隔を開けて並べて設けられている。遊技領域Ｒ１の下部で、始動入賞口１４及び大入賞口１５の両側方には、ガイドレール１２に沿って一般入賞口２０，２１が設けられている。また、表示装置１０１の左側のスペースには、始動ゲート１８が設けられ、この始動ゲート１８の略真下には、風車１１０（本発明の「可動体」に相当する）が配置されている。これら各役物は、遊技に支障を来さないように、互いに遊技球が通過可能な間隔を空けて設けられている。さらに、これら役物以外に、遊技領域Ｒ１には、遊技領域Ｒ１を流下する遊技球と当接して流下方向を様々に変化させることが可能な障害釘が分散配置され、ガイドレール１２に沿ってサイドランプ２２，２２が設けられている。
【００３７】
なお、第１の始動入賞口１４Ａの上端と遊技領域Ｒ１の下端との距離Ｓ１は９６ｍｍとなっている。また、表示装置１０１の下端と遊技領域Ｒ１の下端との間の距離Ｓ２は１２３ｍｍとなっている（図６を参照）。
【００３８】
遊技板１１の前面側の各部位の詳細は、以下のようである。
一般入賞口２０は、所謂、ポケット構造をなし、遊技球が丁度１つ入球可能な大きさで上方に開口している。一般入賞口２０へ入球すると、その遊技球は遊技板１１の裏側に取り込まれ、代わりに所定数の賞球が上皿２７Ａに払い出される。
【００３９】
始動ゲート１８は、遊技球が潜って通過可能な門形構造をなし、通過した遊技球は始動ゲート１８に内蔵された普通図柄始動スイッチによって検出される。この検出信号に基づいて、風車１１０の下方に設けられた普通図柄表示部１８Ｈにおいて図柄が変動表示される。具体的には、「０」〜「９」までの数字からなる数字図柄が所定期間に亘って変動表示された後、所定の数字図柄が停止表示される。そして、停止表示された数字図柄が、例えば、奇数の場合に、第２の始動入賞口１４Ｂが開放状態となる。なお、普通図柄表示部１８Ｈで表示する図柄は、数字図柄に限るものではなく、アルファベットや記号等でもよい。
【００４０】
図１に示すように、第１及び第２の始動入賞口１４Ａ，１４Ｂは、上下方向に並んで配置されている。各始動入賞口１４Ａ，１４Ｂは、共に遊技板１１から突出した部材の上面に開口を備えた、所謂、ポケット構造をなしている。そして、各始動入賞口１４Ａ，１４Ｂに入った遊技球は、遊技板１１に設けた図示しない貫通孔を通って、遊技板１１の裏側に回収される。
【００４１】
上側に配置された第１の始動入賞口１４Ａは、本発明の「入賞口」に相当し、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。そして、常には、第２の始動入賞口１４Ｂの上方空間が、第１の始動入賞口１４Ａを構成する部材と可動翼片１４Ｃ，１４Ｃとで囲まれて、遊技球が入らないようになっている。
【００４２】
これに対し、例えば、普通図柄表示部１８Ｈで停止表示された数字図柄が奇数になると、遊技板１１の裏に設けたソレノイドが駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００４３】
各始動入賞口１４Ａ，１４Ｂに遊技球が入賞すると、各始動入賞口１４Ａ，１４Ｂ内に設けた図示しない始動口センサが遊技球を検出し、その検出信号に基づいて、例えば、４個の遊技球が上皿２７Ａに払い出されると共に、表示装置１０１の液晶画面１０２において図柄が変動表示される。具体的には、液晶画面１０２には、通常、３つの左、中、右の特別図柄１３Ａ，１３Ｂ，１３Ｃが横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが停止表示されている。そして、始動入賞口１４Ａ，１４Ｂに遊技球が入賞したときに、これら３つの特別図柄１３Ａ，１３Ｂ，１３Ｃが、上下方向にスクロール表示され、所定時間後に、例えば、左、中、右の順で各特別図柄１３Ａ，１３Ｂ，１３Ｃが停止表示される。このとき、例えば、全ての特別図柄１３Ａ，１３Ｂ，１３Ｃが同じ図柄、即ち、ぞろ目になった場合に、遊技が「大当たり状態」になる。なお、液晶画面１０２において特別図柄１３Ａ，１３Ｂ，１３Ｃが変動表示又は「大当たり状態」の最中に始動入賞口１４Ａ，１４Ｂに入賞した場合、その入賞球は最大で４個まで保留記憶され、特別図柄１３Ａ，１３Ｂ，１３Ｃが停止表示又は「大当たり状態」が終了すると、その保留記憶に基づいて再び、特別図柄１３Ａ，１３Ｂ，１３Ｃが変動表示される。
【００４４】
大入賞口１５は、横長矩形に形成されて、常には、可動扉１５Ｔにて閉塞されている。パチンコ遊技機１０が「大当たり状態」になると、遊技板１１の裏に設けた図示しないソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００４５】
大入賞口１５の内部には、継続入賞口と計数入賞口とが設けられている。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた特定領域センサが遊技球の入賞を検出すると、前述した終了条件を満たしてラウンドが終了した後で、連続して次のラウンドが実行される。また、計数入賞口内に設けたカウントセンサが遊技球の入賞を検出すると、継続入賞口への入賞球と合わせて、大入賞口１５への入賞球がカウントされ、これらが前記したように計１０個に達したか否かがチェックされる。なお、大入賞口１５に遊技球が入賞すると、例えば、１５個の遊技球が上皿２７Ａに払い出される。
【００４６】
風車１１０は、表示装置１０１の左下部側方に設けられている。風車１１０は、遊技板１１面に対して直角な回転軸１１０Ａを中心にして回転可能に軸支されている。図５に示すように、風車１１０の回転中心（回転軸１１０Ａ）からは、３つの突片１１０Ｂが放射状に延びている。これら突片１１０Ｂは、平板状をなしかつ、相互に１２０度の間隔を空けて設けられている。また、回転軸１１０Ａの前端部には、３つの突片１１０Ｂの前面側を覆った円板１１０Ｃが取り付けられている。この円板１１０Ｃの直径は、例えば、３０ｍｍとなっており、その外周縁は突片１１０Ｂの先端よりも外側に張り出している。そして、隣り合った２つの突辺１１０Ｂ，１１０Ｂと円板１１０Ｃとで囲まれた凹所には、遊技球が丁度１つ受容可能となっている。
【００４７】
図１に示すように、表示画面１０２の周縁部には、枠形構造の表示枠体３０（本発明の「囲壁」に相当する）が備えられている。表示枠体３０は全体が、例えば樹脂で構成され、表示枠体３０で囲まれた表示窓３０Ｗを通して液晶画面１０２のほぼ全域が遊技板１１の前面側から視認可能となっている。なお、表示枠体３０の寸法は、上下方向が２５５ｍｍ、左右方向が３２６ｍｍである。
【００４８】
以下、主に図４〜図８に基づいて表示枠体３０について詳説する。表示枠体３０は、遊技板１１に貫通形成された遊技板開口部１１Ｋ（図６を参照、本発明の「開口部」に相当する）に遊技板１１の前面側から嵌め込まれ、周縁部から側方に張り出した敷設板３２Ｆを遊技板１１の前面に敷設して螺子止めされている。そして、表示枠体３０の上辺及び両側辺には、遊技板１１の前方へ突出して、表示枠体３０の上方及び側方から、遊技球が表示枠体３０の内側に入り込まないように規制している（図４を参照）。
【００４９】
表示枠体３０の下辺部内面にはステージ４２が設けられている。ステージ４２は表示枠体３０の左右両側辺の下端部同士を繋ぐように延びており、左右両端部から中央部に向かって下向きに傾斜する一方、中央部には緩やかに隆起した隆起部４３Ａが形成されている。隆起部４３Ａの左右両側には、ステージ４２の奥側から前端縁に向かって下向きに緩やかに傾斜した緩斜面４３Ｂ，４３Ｂが形成され、緩斜面４３Ｂが形成された部分以外の前端縁には、落下防止壁４４が形成されている。これにより、ステージ４２上を転動した遊技球の一部は、緩斜面４３Ｂにより前方へ案内されて、ステージ４２の前端縁から下方に流下する。
【００５０】
表示枠体３０の下辺中央には、ワープ路４５が形成されている。ワープ路４５は、遊技球が隆起部４３Ａの下方を潜って通過可能なトンネル構造となっている。詳細には、隆起部４３Ａの後方には、ワープ路４５の球入口４６Ａが上方に開口しており、表示枠体３０の下辺中央には、ワープ路４５の球出口４６Ｂ（本発明の「中央排出口」に相当する）が前方に開口している。隆起部４３Ａの上面は球進入口４６Ａに向かって下向きに傾斜しているので、ステージ４２を転動する遊技球が隆起部４３Ａで後方に案内されて球入口４６Ａに転入し、ワープ路４５を通って球出口４６Ｂから下方に排出されるようになっている。なお、ワープ路４５の底面には、前方に向かって下るように傾斜しかつ、平行に延びた１対の突条４６Ｃが設けられており、ワープ路４５内で球詰まりすることはなく、確実に遊技球を排出することができる。
【００５１】
ここで、ワープ路４５の球出口４６Ｂは、第１の始動入賞口１４Ａの真上に位置しているので、球出口４６Ｂから排出された遊技球は、図８に示すように、球出口４６Ｂと第１の始動入賞口１４Ａとの間に横並びに打ち込まれた１対の障害釘（所謂、命釘）１４１，１４１の間を通って、第１の始動入賞口１４Ａに向かって流下する。球排出口４６Ｂから排出された遊技球が第１の始動入賞口１４Ａに入賞する確率は、障害釘１４１，１４１の間隔や角度により調整することができ、本実施形態では、球排出口４６Ｂから排出された遊技球のほとんど全てが第１の始動入賞口１４Ａに入賞するように調整されている。
【００５２】
図４に示すように、表示枠体３０のうち右側辺の下端部には、表示枠体３０の右側辺に沿って流下した遊技球を受け止める分流壁３１Ａが設けられている。分流壁３１Ａは、平板構造をなして僅かに表示枠体３０の中央側に下るように傾斜している。そして、分流壁３１Ａに落下した遊技球は、分流壁３１Ａの左右何れかの端部から下方に流下するようになっている。ここで、図８に示すように、分流壁３１Ａの左端部からは、第２の始動入賞口１４Ｂに向かって複数の障害釘が一列に並んでおり、分流壁３１Ａの左端部から流下した遊技球は、これら障害釘により第２の始動入賞口１４Ｂに向けて案内されるようになっている。なお、分流壁３１Ａの右端部から流下した遊技球は、ガイドレール１２上に落下しガイドレール１２に沿ってアウト口１６に向かうようになっている。
【００５３】
図４に示すように、表示枠体３０のうち左側辺の下部には、ステージ案内筒４０が設けられている。ステージ案内筒４０は、表示枠体３０の外側を流下する遊技球を表示枠体３０の内側に誘導してステージ４２上に案内する。ステージ案内筒４０は、表示枠体３０の側方に向かって開放し、表示枠体３０の左側辺の内面に沿って湾曲しながら下方に延びてステージ４２の左端部でステージ４２の中央に向かって開放している。
【００５４】
さて、本実施形態のパチンコ遊技機１０では、上述したように、従来よりも大型の液晶画面１０２を有する表示装置１０１を用いており、その液晶画面１０２が遊技領域Ｒ１の約半分を占め、残りの限られたスペースに表示装置１０１以外の役物（風車１１０、始動ゲート１８、各入賞口１４Ａ，１４Ｂ，１５，２０等）を遊技に支障を来さないように配置している。このような本実施形態のパチンコ遊技機１０における役物配置では、表示装置１０１の左側方を流下する遊技球を第１の始動入賞口１４Ａに安定して案内するための案内路を、液晶画面１０２と全く重ならないように設けることは困難であり、案内路の少なくとも一部が液晶画面１０２の左下角部Ｒ２を横切るように配置せざるを得ない。ここで、遊技球を誘導する案内路は、通常であれば、図１２に示すように、遊技板１１に複数の障害釘１４２を一列に打ち付けて形成されるが、本実施形態のように案内路が液晶画面１０２の左下角部Ｒ２を横切る場合には、障害釘を打ち付けるために液晶画面１０２の左下角部Ｒ２を遊技板で覆わなければならなくなる。そうすると、大型の液晶画面１０２を使用する意義が希薄化し、遊技者からは表示画像の一部が欠けて見える虞がある。そこで、本実施形態のパチンコ遊技機１０では、案内路のうち、表示画面１０２を横切る部分を表示枠体３０に一体に形成された樹脂製の球誘導壁１２０で構成して、表示画面１０２の前面を遊技板１１で覆わなくても済むようにしてある。これにより、表示画面１０２の前面側から覆われる領域をなるべく小さく抑えつつ、遊技球を表示装置１０１の左側方から第１の始動入賞口１４Ａに案内可能となっている。
【００５５】
具体的には、球誘導壁１２０（本発明の「誘導部材」に相当する）は、表示枠体３０のうち、左側辺の下端部に設けられており、表示画面１０２の左下角部Ｒ２の前方を斜めに横切っている。球誘導壁１２０は、表示枠体３０の前面から前方に突出しステージ４２よりも前側に配置されている。図５に示すように、球誘導壁１２０は、風車１１０の回転軸１１０Ａの真下位置から遊技領域Ｒ１の中心に向かって略水平に延びかつ第１の始動入賞口１４Ａに向けて下向きに緩やかに傾斜している。球誘導壁１２０は中央部で僅かに屈曲しており、球誘導壁１２０の左側半分は右側半分に比較して傾斜が緩やかとなっている。なお、球誘導壁１２０を透明な部材で構成すれば、表示画面１０２の前面側に重ねて球誘導壁１２０が配置されても、表示画面１０２の視認性を損なうことがない。
【００５６】
球誘導壁１２０の上面は、遊技球が転動可能な誘導路１２１となっており、誘導路１２１の全体の勾配、即ち、誘導路１２１の左右両端を結ぶ直線が水平方向に対してなす角度α３（本実施形態では、約１５度）は、後述する球案内釘列１４０の水平方向に対する角度β（本実施形態では、約２７度）以下となっている。このように、誘導路１２１の勾配を、球案内釘列１４０の勾配よりも緩やかな勾配とすることで、誘導路１２１の上下方向の高さを小さくすることができるので、表示画面１０２と誘導路１２１とが前後方向に重なる範囲をできるだけ小さくすることができる。この誘導路１２１は、遊技球が１個だけ通過可能な幅であると共に、勾配が異なる２つの平面で構成されている。例えば、球誘導壁１２０の左側半分に形成された第１誘導路１２１Ａは水平方向に対する角度α１が約５度となっているのに対し、球誘導壁１２０の右側半分に形成された第２誘導路１２１Ｂは、水平方向に対する角度α２が約２０度となっている。即ち、第１誘導路１２１Ａに対して第２誘導路１２１Ｂの勾配が大きくなっている。各誘導路１２１Ａ，１２１Ｂの間には、段差部１２１Ｃが設けられ、この段差部１２１Ｃを境にして誘導路１２１の勾配が変化する構成となっている。
【００５７】
球誘導壁１２０の左端部には、上方に向かって転出防止壁１２２が突出している。転出防止壁１２２のうち右側面は、傾斜面１２２Ａとなっており、この傾斜面１２２Ａにより、風車１１０に接触して真下に落下した遊技球を右側、即ち第２誘導路１２１Ｂ側に転がすことができる。また、遊技球同士の衝突等により、第１誘導路１２１Ａを登るように転出防止壁１２２に向かって転動した遊技球は、転出防止壁１２２の傾斜面１２２Ａに当接して転動方向が反転し、第２誘導路１２１Ｂ側に向かって転動するようになる。つまり、転出防止壁１２２により、球誘導壁１２０上に落下した遊技球が球誘導壁１２０の左端部から落下しないようになっている。
【００５８】
図４に示すように、球誘導壁１２０の前面側には、前面カバー体１５０が設けられている。前面カバー体１５０は、遊技板１１の前面に重ねて設けられ、球誘導壁１２０の前面側を覆うと共に、表示画面１０２の左下角を部分的に覆っている。また、前面カバー体１５０と表示枠体３０の前面との間には、誘導路１２１と同じ幅の空間、即ち、遊技球が１つだけ通過可能な空間が形成されている。そして、前面カバー体１５０により球誘導壁１２０上を転がる遊技球が、途中で前方に飛び出すのが防止されている。また、前面カバー体１５０は、例えば、透明な樹脂部材で形成されているので、遊技者は前面カバー体１５０を通して、球誘導壁１２０上の遊技球の転動状況を視認できると共に液晶画面１０２の表示画像を視認することもできる。
【００５９】
図５に示すように、球誘導壁１２０の右端部と第１の始動入賞口１４Ａとの間には、複数の障害釘を一列に並べてなる球案内釘列１４０（本発明の「釘の列」に相当する）が形成されている。詳細には、球案内釘列１４０は、複数本（例えば、３〜４本）の障害釘を等間隔（例えば、約５．５ｍｍ）で一列に配置してなる障害釘群１４０Ａを、球誘導壁１２０（誘導路１２１）の延長上に複数組（例えば、３組）並べて配置してなる。隣り合った障害釘群１４０Ａ同士の間には、遊技球が通過可能な隙間が開けられている。これにより、球案内釘列１４０上を第１の始動入賞口１４Ａに向かって転がる遊技球の一部が、第１の始動入賞口１４Ａに到達する前に、この隙間から遊技領域Ｒ１の下方に流下するようになっている。なお、液晶画面１０２の前方には球誘導壁１２０が配置されているので、球案内釘列１４０は、液晶画面１０２と重ならない位置、即ち、遊技板１１だけに配置すればよい。
【００６０】
ここで、球案内釘列１４０の水平方向に対する角度βは、２７〜３０度（本実施形態では、例えば、約２７度）とすることが好ましい。その理由は、角度βを３０度より大きくすると、球案内釘列１４０上を転がって第１の始動入賞口１４Ａに向かう過程で遊技球が過剰に加速されて、遊技球を安定して第１の始動入賞口１４Ａに案内することができなくなる虞があり、また、角度βを２７度より小さくすると、遊技球の勢いが不足してほとんどの遊技球が第１の始動入賞口１４Ａまで到達できなくなる虞があるからである。
【００６１】
ところで、遊技球は遊技領域Ｒ１を流下する過程で勢いがつくため、球誘導壁１２０に到達する前に十分に減勢されていない遊技球は、図１３に示すように、球誘導壁１２０上で跳ねたり、球誘導壁１２０上を勢いよく転がる。このような場合には、第１の始動入賞口１４Ａに向けて遊技球を安定して案内できなくなる虞がある。そこで、本実施形態のパチンコ遊技機１０では、球誘導壁１２０に到達する前に遊技球を減勢するための振り子体１３０を備えている。
【００６２】
図５に示すように、振り子体１３０（本発明の「球減速部材」に相当する）は、例えば樹脂製で、図５に示すように、風車１１０の右側方でかつ第１誘導路１２１Ａの直上に設けられている。振り子体１３０は、図９に示すように、前面カバー体１５０と表示枠体３０の前面との間に形成された空間内に配置され、風車１１０と水平方向で対峙している。振り子体１３０は、扇形をなし、その扇の要部分を前後方向に貫通した回動軸１３０Ａにより回動可能に軸支されている。振り子体１３０の左右両側面は、それぞれ平坦面となっており、特に、風車１１０側を向いた左側面は遊技球と当接可能な当接平坦面１３０Ｂとなっている。また、振り子体１３０の下端面は、回動軸１３０Ａを中心とした円弧面となっている。なお、回動軸１３０Ａは、ステージ案内筒４０とカバー体１５０との間に水平に差し渡されて固定されている。
【００６３】
振り子体１３０は、前面カバー体１５０の後面から突出した１対の回動規制突片１３０Ｃ，１３０Ｃ（本発明の「回動規制部材」に相当する）により回動可能範囲が規制されている。振り子体１３０は、常には、図５に示すように一方の回動規制突片１３０Ｃに当接した状態で静止している。そして、振り子体１３０に遊技球が当接した場合、振り子体１３０は回動軸１３０Ａを中心にして、図５における反時計回り方向に回動して、当接した遊技球の速度、より正確には水平方向の速度成分を低減させる。振り子体１３０の回動角度は、振り子体１３０に当接する遊技球の水平方向の速度成分が大きい程大きくなり、他方の回動規制突片１３０Ｃに当接する（図５の破線で示した状態）まで回動可能となっている。また、振り子体１３０の回動角度が最大となった状態（他方の回動規制突片１３０Ｃに当接した状態）であっても、当接平坦面１３０Ｂは第１の誘導路１２１Ａ側を向いているので、振り子体１３０に当接した遊技球を確実に第１誘導路１２１Ａ上に落下させることができる。
【００６４】
さらに、振り子体１３０と風車１１０の突片１１０Ｂとの間の最も狭い部分の間隔Ｌ１は、遊技球の直径（約１１ｍｍ）以上でかつ遊技球の直径の２倍未満（例えば、遊技球の直径の約１．５倍）となるように構成されている。これにより、風車１１０の突片１１０Ｂと振り子体１３０との間での球詰まりを防止することができる。また、振り子体１３０と第１誘導路１２１Ａとの間の最も狭い部分の間隔Ｌ２は、遊技球の直径以上かつ遊技球の直径の２倍未満（例えば、遊技球の直径の約１．３倍）となっている。これにより、第１誘導路１２１Ａを転がる遊技球と振り子体１３０とが干渉することはなく、球誘導壁１２０と振り子体１３０との間での球詰まりを防止することができる。また、球誘導壁１２０を転がる遊技球の勢いを落とし過ぎることもない。
【００６５】
ところで、振り子体１３０は、当接した遊技球の水平方向の速度成分が、当接前の０〜１／２に低減されるように構成されている。具体的には、振り子体１３０を所定の質量とすることで、遊技球の水平方向の速度成分が低減されるように構成してある。振り子体１３０の質量は、例えば、運動量保存則に基づいて算出することができる。
【００６６】
即ち、振り子体１３０の質量をＭ、遊技球の質量をｍ、遊技球の衝突前の水平方向の速度成分をＶＨ１、遊技球の衝突後の水平方向の速度成分をＶＨ２、振り子体１３０の質量をＭ、遊技球が衝突した後の振り子体１３０の角速度をω、回動軸１３０Ａから振り子体１３０の重心までの距離をＲ、遊技球と振り子体１３０との跳ね返り係数をｅとした場合、
ｍ・ＶＨ１＝ｍ・ＶＨ２＋Ｍ・Ｒ・ω      ・・・（６）
ＶＨ２−Ｒ・ω＝−ｅ（ＶＨ１−０）      ・・・（７）
上記関係式（６），（７）が成立する。また、これら関係式（６），（７）から、
ＶＨ２＝（ｍ−ｅ・Ｍ）・ＶＨ１／（ｍ＋Ｍ）      ・・・（８）
上記関係式（８）が成立する。
【００６７】
ところで、振り子体１３０に当接した遊技球の水平方向の速度成分ＶＨ２が、振り子体１３０に当接する前の遊技球の水平方向の速度成分ＶＨ１の０〜１／２に低減する場合、即ち、
０≦ＶＨ２≦（１／２）・ＶＨ１      ・・・（９）
上記関係式（９）が成立する場合、上記関係式（８），（９）から、
ｍ／（１＋２ｅ）≦Ｍ≦ｍ／ｅ      ・・・（１０）
上記関係式（１０）が成立する。
【００６８】
ここで、例えば、遊技球の質量ｍを５［ｇ］、遊技球と振り子体１３０との跳ね返り係数ｅを０．４とした場合、関係式（１０）から、振り子体１３０の質量Ｍを、１．７［ｇ］≦Ｍ≦１２．５［ｇ］とすれば、当接後の遊技球の水平方向の速度成分を当接前の０〜１／２に低減できることになる。そして、本実施形態では、振り子体１３０の質量Ｍがこの数値範囲に含まれるように、例えば、３［ｇ］としてある。なお、振り子体１３０の質量は、上記の関係式（６）〜（１０）に基づいて設定する以外に、力学的エネルギー保存則に基づいて設定してもよいし、遊技球の水平方向の速度成分及び振り子体１３０の質量の実測結果に基づいて設定してもよい。なお、振り子体１３０の内部を空洞にして、内部に着脱可能な錘を収容し、この錘の重量を変更することで、当接前後の遊技球の水平方向の速度成分の低減率を変更できるようにしてもよい。
【００６９】
次に、上記構成からなる本実施形態の作用・効果を説明する。
遊技者が操作ノブ２８を回動操作すると、遊技球が遊技領域Ｒ１の下端部からガイドレール１２に沿って時計回りに打ち出される。そして、図８に示すように、遊技領域Ｒ１に打ち込まれた一部の遊技球が、表示枠体３０の右側辺とガイドレール１２との間に形成された遊技球が丁度１つ通過可能な隙間を通って流下し、残りのほとんどの遊技球が、表示枠体３０の上辺部に衝突して、表示枠体３０の左側方を流下する。表示枠体３０の右側辺に沿って流下する遊技球は、分流壁３１Ａ（図４を参照）上に落下して、ここから左右に分かれて流下する。分流壁３１Ａの右端部から流下した遊技球は、ガイドレール１２に案内されてアウト口１６に入る。一方、分流壁３１Ａの傾斜によって左端部から流下した遊技球は、障害釘に案内されて第２の始動入賞口１４Ｂに向かって斜め下方に流下する。このように、表示枠体３０の右側方を通って流下した遊技球は、第１の始動入賞口１４Ａに向かって流下することがない。
【００７０】
一方、表示枠体３０の上辺部に落下し、左側辺に沿って流下した遊技球の一部は、表示枠体３０の左側方を流下する途中で始動ゲート１８を通過する。また、一部の遊技球が障害釘により表示枠体３０側に案内され、ステージ案内筒４０を通って表示枠体３０の内側に転入し、ステージ４２の左端部に排出される。
【００７１】
ステージ４２に転入した遊技球は、ステージ４２上を左右に往復する。左右に往復する過程で遊技球は次第に勢いを落とし、ほとんどの遊技球が、ステージ４２の左右に形成された緩斜面４３Ｂからステージ４２（表示枠体３０）の下方に落下する。これら遊技球は、一部が障害釘に案内されて第１又は第２の始動入賞口１４Ａ，１４Ｂ或いは大入賞口１５に入賞し、その他の遊技球は入賞することなくアウト口１６に入る。また、図８に示すように、ステージ４２上を転動する遊技球のうちの一部は、隆起部４３Ａからワープ路４５に転入し、ワープ路４５を通って球出口４６Ｂから排出される。球出口４６Ｂから排出されたほとんど全ての遊技球は、障害釘１４１，１４１の間を通って第１の始動入賞口１４Ａに入賞する。これにより、遊技球が球出口４６Ｂから排出されると、遊技者は、第１の始動入賞口１４Ａへの入賞を期待しつつ遊技球を注視するようになる。
【００７２】
さて、表示枠体３０の左側方を流下する遊技球が風車１１０に当接すると、風車１１０が回転する。このときの回転方向により、遊技球の流下方向が風車１１０の左右方向に振り分けられる。具体的には、図８に示すように、遊技球を突片１１０Ｂで受けた風車１１０が反時計回りに回転すると、遊技球は風車１１０の左側に振り分けられる。一方、遊技球を突片１１０Ｂで受けた風車１１０が時計回り方向に回転すると、遊技球は風車１１０の右側に振り分けられ、図１０に示すように球誘導壁１２０に向かって流下する。このとき、球誘導壁１２０に向かった遊技球は、球誘導壁１２０に直接落下したり、図１１に示すように風車１１０に衝突することで右側に比較的大きく跳ねて振り子体１３０の側面に当接する。
【００７３】
図１０に示すように、球誘導壁１２０上に直接落下した遊技球のうち、風車１１０と当接することで十分に減勢された遊技球は、球誘導壁１２０上をそのまま球案内釘列１４０に向かって転がる。一方、十分に減勢されなかった遊技球は、球誘導壁１２０上で跳ね返ることがあるが、この遊技球は振り子体１３０に当接することで球誘導壁１２０に戻され、球誘導壁１２０上を球案内釘列１４０に向かって転がる。
【００７４】
球誘導壁１２０上を転動する遊技球は、勾配の異なる第１球誘導路１２１Ａ、第２誘導路１２１Ｂの順に転がって球誘導壁１２０の左端部から、さらに勾配が急な球案内釘列１４０に乗り移って第１の始動入賞口１４Ａに向かって転がる。図８に示すように、球案内釘列１４０上を転がる一部の遊技球は、第１の始動入賞口１４Ａに向かう過程で隣り合う障害釘群１４０Ａ同士の間の隙間から下方に落下するが、隙間から落下することなく球案内釘列１４０の末端まで到達した遊技球は、第１の始動入賞口１４Ａ或いは、開放状態の第２の始動入賞口１４Ｂに入賞する。
【００７５】
図１１に示すように、遊技球が風車１１０と当接して水平方向に弾かれ、振り子体１３０の当接平坦面１３０Ｂに当接すると、振り子体１３０が回動軸１３０Ａを中心にして反時計回りに回動する。すると、遊技球の水平方向の速度成分が吸収され、遊技球が減勢される。具体的には、振り子体１３０に当接した後の遊技球の水平方向の速度成分は、振り子体１３０に当接する前の０〜１／２にまで低減される。
【００７６】
そして、振り子体１３０と当接した遊技球は、水平方向の速度成分が低減された状態で球誘導壁１２０（正確には、第１誘導路１２１Ａ）上に落下して、球誘導壁１２０上を球案内釘列１４０に向かって転がり、さらに球誘導壁１２０から球案内釘列１４０に乗り移って、第１の始動入賞口１４Ａに向かって転がる。
【００７７】
なお、球誘導壁１２０に同時に２つの遊技球が流下した場合に、それらが衝突して一方の遊技球が球誘導壁１２０の左端部に向かって転がることがあり得るが、その遊技球は転出防止壁１２２を乗り越えることなく戻されるので、遊技球が球誘導壁１２０の左端部から落下することはない。即ち、球誘導壁１２０上に落下した遊技球は全て、第１の始動入賞口１４Ａに向けて転がすことができる。
【００７８】
このように本実施形態のパチンコ遊技機１０によれば、表示装置１０１の左側方を流下した遊技球の一部は、風車１１０に当接して減勢されてから球誘導壁１２０上に落下する。このとき、風車１１０で十分に減勢されず、水平方向右側に比較的大きく弾かれた遊技球は、振り子体１３０に当接する。振り子体１３０に当接した遊技球は振り子体１３０の回動により水平方向の速度成分が当接前の０〜１／２に低減されてから球誘導壁１２０上に落下する。このように、減勢した遊技球を、水平方向に延びかつ第１の始動入賞口１４Ａに向かって緩やか（具体的には、球案内釘列１４０の水平方向に対する角度β以下）に傾斜した球誘導壁１２０を通して第１の始動入賞口１４Ａ側に流下させるので、遊技球を過度に加速させることなく安定して第１の始動入賞口１４Ａに案内することができる。しかも、球誘導壁１２０の延長上に設けた球案内釘列１４０の勾配を２７〜３０度として比較的緩やかにしたので、より安定して遊技球を第１の始動入賞口１４Ａに案内することができる。これにより、表示装置１０１の側方を流下した遊技球が第１の始動入賞口１４Ａに入賞することへの期待を高めることができる。また、遊技球が誘導路１２１から第１に始動入賞口１４Ａに向かって安定して流下するので、第１の始動入賞口１４Ａへの入賞率の調整が可能となる。
【００７９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８０】
（１）前記実施形態では、パチンコ遊技機１０に本発明を適用していたが、遊技球を用いる遊技機であれば、他の遊技機、例えば、アレンジボール等に適用してもよい。
【００８１】
（２）前記実施形態では、風車１１０に複数の突片１１０Ｂを設けたが、突片１１０Ｂに代えて、円板１１０Ｃよりも半径が小さい円筒部を設けてもよい。また、円板１１０Ｃを設けず、突辺１１０Ｂだけで構成してもよい。
【００８２】
（３）前記実施形態では、振り子体１３０の自重により、遊技球の水平方向の速度成分を低減させていたが、振り子体１３０を、常には、一方の回動規制突片１３０に押し付けるように付勢するバネ又はゴムを備え、それらバネ又はゴムの衝撃吸収力により水平方向の速度成分を低減させてもよい。また、振り子体１３０自体を、ゴムなどの衝撃を吸収する部材で構成してもよい。
【００８３】
（４）前記実施形態では、振り子体１３０を扇形状としたが、これに限定されるものではなく、例えば、円柱状、球状としてもよい。
【００８４】
（５）前記実施形態では、誘導路１２１を勾配が異なる第１誘導路１２１Ａ及び第２誘導路１２１Ｂで構成したが、誘導路１２１を一定勾配としてもよいし、勾配が異なる３つ以上の平面で構成してもよいし、曲面で形成してもよい。
【図面の簡単な説明】
【００８５】
【図１】本発明の一実施形態に係るパチンコ遊技機の正面図
【図２】パチンコ遊技機の背面図
【図３】パチンコ遊技機の分解斜視図
【図４】表示枠体の斜視図
【図５】遊技領域の部分拡大図
【図６】遊技板の正面図
【図７】遊技板の背面図
【図８】遊技領域の正面図
【図９】表示枠体の部分分解斜視図
【図１０】遊技領域の部分拡大図
【図１１】遊技領域の部分拡大図
【図１２】障害釘を表示画面に重ねて配置した状態の遊技領域の部分拡大図
【図１３】球誘導壁を表示画面に重ねて配置した状態の遊技領域の部分拡大図
【符号の説明】
【００８６】
１０    パチンコ遊技機（遊技機）
１１    遊技板
１１Ｋ    遊技板開口部（開口部）
１４Ａ    第１の始動入賞口（入賞口）
１４Ｂ    第２の始動入賞口
３０    表示枠体（囲壁）
４０    ステージ案内筒
４２    ステージ
４６Ｂ    球出口（中央排出口）
１０１    表示装置
１０２    液晶画面（表示画面）
１１０    風車（可動体）
１１０Ａ    回転軸
１１０Ｂ    突片
１１０Ｃ    円板
１２０    球誘導壁（誘導部材）
１２１    誘導路
１２２    転出防止壁
１３０    振り子体（球減速部材）
１３０Ｂ    当接平坦面
１４０    球案内釘列（釘の列）
Ｒ１    遊技領域
【図１】
2007090004.tif 000003
【図２】
2007090004.tif 000004
【図３】
2007090004.tif 000005
【図４】
2007090004.tif 000006
【図５】
2007090004.tif 000007
【図６】
2007090004.tif 000008
【図７】
2007090004.tif 000009
【図８】
2007090004.tif 000010
【図９】
2007090004.tif 000011
【図１０】
2007090004.tif 000012
【図１１】
2007090004.tif 000013
【図１２】
2007090004.tif 000014
【図１３】
2007090004.tif 000015